(57)【要約】【課題】映画やドラマなどの作品において、登場人物の人数が増えた場合、煩雑になりがちな登場人物名の混乱を防ぐことができる映像音声出力装置を提供する。【解決手段】この映像音声出力装置は、ディスプレイ装置に表示される当該作品に関する登場人物の人物名を呼び出すための人物名呼出操作が行われたことを検出したときは、当該作品に対して予め作成された登場人物と人物名との対応関係を示す登場人物情報に基づき、登場人物の映像に対応させて人物名もディスプレイ装置に表示させる表示処理手段を備えた。したがって、登場人物の映像に対応させて人物名もディスプレイ装置に表示できるので、映画やドラマなどの作品において、登場人物の人数が増えた場合、煩雑になりがちな登場人物名の混乱を防ぐことができる。【選択図】図４
2009017072.tif 000002
【特許請求の範囲】
【請求項１】
映像化した作品の本編情報の映像データおよび音声データを含むデータストリームを入力して所定処理を行うことによりディスプレイ装置に映像を表示させると共に音声出力装置から音声を出力させる映像音声出力装置において、
ディスプレイ装置に表示される当該作品に関する登場人物の人物名を呼び出すための人物名呼出操作が行われたことを検出したときは、当該作品に対して予め作成された登場人物と人物名との対応関係を示す登場人物情報に基づき、登場人物の映像に対応させて人物名もディスプレイ装置に表示させる表示処理手段を備えたことを特徴とする映像音声出力装置。
【請求項２】
当該作品に対して予め作成された登場人物と人物名との対応関係を示す登場人物情報を、当該作品の本編情報に付随させて光ディスクに記録させておき、前記光ディスクに記録された当該作品の再生時に、前記人物名呼出操作が行われたことを検出したときは、前記登場人物情報も前記光ディスクから読み出して、ディスプレイ装置に表示されている登場人物の映像に追従させて人物名も表示させる表示処理手段を備えたことを特徴とする請求項１に記載の映像音声出力装置。
【請求項３】
当該作品に対して予め作成された登場人物と人物名との対応関係を示す登場人物情報のデータストリームを、デジタル放送により送信される当該作品の本編情報に付随させ、デジタル放送により送信されて来た当該作品の映像がディスプレイ装置に表示されているときに、前記人物名呼出操作が行われたことを検出したときは、ディスプレイ装置に表示されている登場人物の映像に追従させて、前記登場人物情報に基づいて人物名も表示させる表示処理手段を備えたことを特徴とする請求項１に記載の映像音声出力装置。
【請求項４】
当該作品の登場人物を演じる俳優の情報をインターネットにより検索するため、登場人物の人物名がユーザ操作により入力されて検索開始指示がされたことを検出したとき、人物名の情報を前記インターネットを介してサーバに送信し、これに応答して前記サーバから送信されて来た俳優の情報を受信してディスプレイ装置に表示させる表示処理手段を備えたことを特徴とする請求項１に記載の映像音声出力装置。
【請求項５】
当該作品が記録された光ディスクに登場人物を演じる俳優の情報が特典情報として記録されている場合、ユーザ操作により特典情報表示指示がされたことを検出したときは、前記光ディスクから特典情報を読み出し、ディスプレイ装置に俳優の情報を表示させる表示処理手段を備えたことを特徴とする請求項１に記載の映像音声出力装置。
【請求項６】
当該作品に対して予め作成された登場人物と人物名との対応関係を示す登場人物情報を、当該作品の本編情報に付随させて光ディスクに記録させておき、前記光ディスクに記録された当該作品の再生時に、前記人物名呼出操作が行われたことを検出したときは、前記登場人物情報も前記光ディスクから読み出して、動画から静止画に切り換え、ディスプレイ装置に表示されている登場人物の映像に対応させて人物名も表示させる表示処理手段を備えたことを特徴とする請求項１に記載の映像音声出力装置。
【発明の詳細な説明】
【技術分野】
【０００１】
本発明は、映像化した作品の本編情報の映像データおよび音声データを含むデータストリームを入力して所定処理を行うことによりディスプレイ装置に映像を表示させると共に音声出力装置から音声を出力させるＤＶＤレコーダやＤＶＤプレイヤあるいはテレビジョン受像機などの映像音声出力装置に関し、特に、ディスプレイ装置に表示された登場人物の人物名など表示させる表示処理に関する。
【背景技術】
【０００２】
従来から、映画やドラマなど映像化された作品は、映像データと音声データと字幕データとを含みＤＶＤ（デジタル・バーサタイル・ディスク）に記録されている。ＤＶＤに記録された作品は、ＤＶＤレコーダやＤＶＤプレイヤに、そのＤＶＤに挿入し、ＤＶＤレコーダやＤＶＤプレイヤを再生動作させることにより、再生され、ディスプレイ装置に映像および字幕が表示されると共に、スピーカから音声が出力される。また、デジタル放送を受信するテレビジョン受像機においても、映画やドラマなど映像化された作品は、放送局からの映像データと音声データと字幕データとを含むデータストリームを受信し、ディスプレイ装置に映像および字幕を表示すると共に、スピーカから音声を出力する。
【特許文献１】特開２００４−１７２７９３号公報
【特許文献２】特開２００５−１２４１６９号公報
【特許文献３】特開２００６−２９３９１２号公報
【発明の開示】
【発明が解決しようとする課題】
【０００３】
ところが、映画やドラマなどの作品においては、登場人物名が内容として重要であるが、登場人物の人数が増えた場合、視聴者に混乱を来たし、最も重要なストーリーに集中することができなくなる。しかし、従来のＤＶＤレコーダやＤＶＤプレイヤあるいはテレビジョン受像機などの映像音声出力装置では、字幕を表示させることができるが、登場人物名を表示させることができないので、登場人物の人数が増えた場合、視聴者に混乱を来たし、最も重要なストーリーに集中することができなくなるという課題が生じる。
【０００４】
なお、特許文献１の従来技術では、複数の登場人物が居る場合に、字幕の言葉が特定の人物が話した言葉であれば、字幕の横にその特定の人物の顔写真を表示するようにしているが、この従来技術も、登場人物名を表示させることができないので、登場人物の人数が増えた場合、視聴者に混乱を来たし、最も重要なストーリーに集中することができなくなるという課題が生じる。
【０００５】
特許文献２の従来技術では、吹き出しデータを解析して、吹き出し画像のための信号および字幕文字のための信号を生成し、映像画像と合成して、吹き出し字幕付きの映像を表示させるようにしているが、この従来技術も、登場人物名を表示させることができないので、登場人物の人数が増えた場合、視聴者に混乱を来たし、最も重要なストーリーに集中することができなくなるという課題が生じる。
【０００６】
特許文献３の従来技術は、携帯電話機により撮影し表示している動画像の近傍に名前などの固有情報を表示するようにしているが、ＤＶＤレコーダやＤＶＤプレイヤあるいはテレビジョン受像機などの映像音声出力装置に関するものではなく、また、映像化された作品の中で、登場人物の人数が増えた場合、視聴者に混乱を来たし、最も重要なストーリーに集中することができなくなるという課題に対処できるようにしたものではない。
【０００７】
本発明は、上記のような課題を解決するためになされたもので、映画やドラマなどの作品において、登場人物の人数が増えた場合、煩雑になりがちな登場人物名の混乱を防ぐことができる映像音声出力装置を提供することを目的とする。
【課題を解決するための手段】
【０００８】
上記目的を達成するために、請求項１の発明は、映像化した作品の本編情報の映像データおよび音声データを含むデータストリームを入力して所定処理を行うことによりディスプレイ装置に映像を表示させると共に音声出力装置から音声を出力させる映像音声出力装置において、ディスプレイ装置に表示される当該作品に関する登場人物の人物名を呼び出すための人物名呼出操作が行われたことを検出したときは、当該作品に対して予め作成された登場人物と人物名との対応関係を示す登場人物情報に基づき、登場人物の映像に対応させて人物名もディスプレイ装置に表示させる表示処理手段を備えたことを特徴とする映像音声出力装置を提供する。
【０００９】
したがって、この構成によれば、人物名呼出操作が行われると、登場人物情報に基づき、登場人物の映像に対応させて人物名もディスプレイ装置に表示されるので、映画やドラマなどの作品において、登場人物の人数が増えた場合、煩雑になりがちな登場人物名の混乱を防ぐことができる。
【００１０】
請求項２の発明では、請求項１の発明において、当該作品に対して予め作成された登場人物と人物名との対応関係を示す登場人物情報を、当該作品の本編情報に付随させて光ディスクに記録させておき、前記光ディスクに記録された当該作品の再生時に、前記人物名呼出操作が行われたことを検出したときは、前記登場人物情報も前記光ディスクから読み出して、ディスプレイ装置に表示されている登場人物の映像に追従させて人物名も表示させる表示処理手段を備えたので、前記光ディスクに記録されている当該作品を再生時に、人物名呼出操作が行われると、前記登場人物情報に基づき、登場人物の映像に対応させて人物名もディスプレイ装置に表示でき、これにより、映画やドラマなどの作品において、登場人物の人数が増えた場合、煩雑になりがちな登場人物名の混乱を防ぐことができる。
【００１１】
請求項３の発明では、請求項１の発明において、当該作品に対して予め作成された登場人物と人物名との対応関係を示す登場人物情報のデータストリームを、デジタル放送により送信される当該作品の本編情報に付随させ、デジタル放送により送信されて来た当該作品の映像がディスプレイ装置に表示されているときに、前記人物名呼出操作が行われたことを検出したときは、ディスプレイ装置に表示されている登場人物の映像に追従させて、前記登場人物情報に基づいて人物名も表示させる表示処理手段を備えたので、デジタル放送による当該作品を視聴中に、人物名呼出操作が行われると、前記登場人物情報に基づき、登場人物の映像に対応させて人物名もディスプレイ装置に表示でき、これにより、映画やドラマなどの作品において、登場人物の人数が増えた場合、煩雑になりがちな登場人物名の混乱を防ぐことができる。
【００１２】
請求項４の発明では、請求項１の発明において、当該作品の登場人物を演じる俳優の情報をインターネットにより検索するため、登場人物の人物名がユーザ操作により入力されて検索開始指示がされたことを検出したとき、人物名の情報を前記インターネットを介してサーバに送信し、これに応答して前記サーバから送信されて来た俳優の情報を受信してディスプレイ装置に表示させる表示処理手段を備えたので、インターネットにより当該作品の登場人物を演じる俳優の情報を知ることができる。
【００１３】
請求項５の発明では、請求項１の発明において、当該作品が記録された光ディスクに登場人物を演じる俳優の情報が特典情報として記録されている場合、ユーザ操作により特典情報表示指示がされたことを検出したときは、前記光ディスクから特典情報を読み出し、ディスプレイ装置に俳優の情報を表示させる表示処理手段を備えたので、特典情報表示指示が行われると、登場人物の特典情報をディスプレイ装置に表示させることができる。
【００１４】
請求項６の発明では、請求項１の発明において、当該作品に対して予め作成された登場人物と人物名との対応関係を示す登場人物情報を、当該作品の本編情報に付随させて光ディスクに記録させておき、前記光ディスクに記録された当該作品の再生時に、前記人物名呼出操作が行われたことを検出したときは、前記登場人物情報も前記光ディスクから読み出して、動画から静止画に切り換え、ディスプレイ装置に表示されている登場人物の映像に対応させて人物名も表示させる表示処理手段を備えたので、前記人物名呼出操作が行われると、動画から静止画に切り換えられ、登場人物の映像に対応させて人物名も表示させることができる。
【発明の効果】
【００１５】
以上のように本発明によれば、人物名呼出操作が行われると、登場人物情報に基づき、登場人物の映像に対応させて人物名もディスプレイ装置に表示されるので、映画やドラマなどの作品において、登場人物の人数が増えた場合、煩雑になりがちな登場人物名の混乱を防ぐことができる。
【００１６】
また、光ディスクに記録されている当該作品を再生時に、人物名呼出操作が行われると、前記登場人物情報に基づき、登場人物の映像に対応させて人物名もディスプレイ装置に表示でき、これにより、映画やドラマなどの作品において、登場人物の人数が増えた場合、煩雑になりがちな登場人物名の混乱を防ぐことができる。
【００１７】
また、デジタル放送による当該作品を視聴中に、人物名呼出操作が行われると、前記登場人物情報に基づき、登場人物の映像に対応させて人物名もディスプレイ装置に表示でき、これにより、映画やドラマなどの作品において、登場人物の人数が増えた場合、煩雑になりがちな登場人物名の混乱を防ぐことができる。
【００１８】
また、インターネットにより当該作品の登場人物を演じる俳優の情報を知ることができる。また、特典情報表示指示が行われると、登場人物の特典情報をディスプレイ装置に表示させることができる。また、人物名呼出操作が行われると、動画から静止画に切り換えられ、登場人物の映像に対応させて人物名も表示させることができる。
【発明を実施するための最良の形態】
【００１９】
以下、添付図面を参照しつつ、本発明の実施の形態について説明する。図１は本発明の一実施形態に係る映像音声出力装置としてのＤＶＤレコーダの構成を示すブロック図である。ここでは、映像音声出力装置としてＤＶＤレコーダについて説明するが、映像音声出力装置としてはＤＶＤプレイヤあるいはテレビジョン受像機であっても良い。
【００２０】
図１において、ＤＶＤレコーダは、装置全体を制御するシステムコントローラ２２と、ＣＤ、ＤＶＤ、ＨＤ−ＤＶＤ、ブルーレイ・ディスクなどの光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２１】
また、このＤＶＤレコーダは、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２２】
また、このＤＶＤレコーダは、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオデコーダ１５と、このビデオデコーダ１５でのデコード処理を行うためにデータを一時的に格納するＲＡＭ１４とを備えている。
【００２３】
また、このＤＶＤレコーダは、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用の映像信号に変換して、その映像信号を例えばテレビジョン受像機２０の映像回路に供給するビデオエンコーダ１８と、オーディオデコーダ１１から出力されたデータをアナログのオーディオ信号に変換して、そのオーディオ信号を例えばテレビジョン受像機２０の音声回路に供給するＤ／Ａ変換器１６とを備えている。
【００２４】
信号切換回路１９は、ビデオ動作モード時においてデジタル放送受信装置２９からの映像信号および音声信号を直接テレビジョン受像機２０に供給したり、ビデオ動作モードに設定した後、再生モード時に光ディスク１から再生された映像信号および音声信号をテレビジョン受像機２０に供給したりするための回路であり、リモコン２１の操作信号に応答したシステムコントローラ２２により制御される。なお、ここで言うビデオ動作モードは、このＤＶＤレコーダが動作するモードであり、録画方式のビデオモードとは意味が異なる。
【００２５】
また、このＤＶＤレコーダは、システムコントローラ２２に対して、記録指示を与えるための記録キー、再生指示を与えるための再生キー、記録や再生の停止指示を与えるための停止キーなど、各種操作キーを有するリモコン２１を備えている。また、このＤＶＤレコーダは、装置の各構成要素を制御したり、装置全体を制御したりするためのプログラムやデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００２６】
また、このＤＶＤレコーダは、アンテナ２８に接続されるデジタル放送受信装置２９と、このデジタル放送受信装置２９で選局されたテレビジョン放送の映像音声信号、あるいは他の映像音声出力機器からの映像音声信号をデジタルの映像音声データに変換するＡ／Ｄ変換回路３０と、前記映像音声データをＭＰＥＧでエンコードするエンコーダ３１と、前記エンコードした映像音声データ（エンコードデータ）を一時的に所定量だけ格納するＲＡＭ３２と、記録データ変調回路２５と接続するインターフェイスであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２７】
また、このＤＶＤレコーダでは、システムコントローラ２２に接続されたインターフェイス３４を備え、このインターフェイス３４は、インターネット３５を介してサーバ３６に接続可能になっている。サーバ３６には、映画やドラマなどの作品に登場する人物の人物名と、登場人物を演じる俳優の情報との関係を示すテーブルがメモリに記憶されており、ＤＶＤレコーダからの登場人物の人物名を受信すると、その人物名に対応する俳優の情報をメモリから読み出して、ＤＶＤレコーダにインターネット３５を介して送信することができるように構成されている。
【００２８】
図２は図１中のデジタル放送受信装置の構成を示すブロック図である。図２において、デジタル放送受信装置２９は、テレビ放送電波を受信するアンテナ２８で受信した放送電波の中から所望のチャンネルの放送電波を選局するチューナ部１１２、このチューナ部１１２から出力された映像音声データの復調および誤りの訂正処理を行う復調・誤り訂正部１１３、映像データと音声データと番組情報のデータとが多重化されているデジタル放送信号から各データを分離抽出するデマルチプレクサ１１５、復調されたデジタル放送信号に付加されている不正視聴防止用のスクランブル信号を解除するデスクランブラ１１４、およびデジタル圧縮された音声データをアナログ音声信号にデコードする音声デコーダ１１９を備えている。
【００２９】
また、このデジタル放送受信装置２９は、デジタル圧縮された映像データを展開してＲＧＢ信号にデコードする映像デコーダ１２０、この映像デコーダ１２０から出力されるＲＧＢ信号を１フレーム分格納するフレームメモリ１２１、ＲＧＢ信号を例えばコンポジット映像信号にダウンコンバートする信号変換回路１２２、デマルチプレクサ１１５により分離された番組情報を復調する番組情報復調部１１７、番組情報などが記録されるメモリ（ＩＣカードでも良い）１１６、および前記番組情報に基づいてテレビジョン受像機のディスプレイ装置に表示する電子番組案内表（ＥＰＧ）データを作成するＯＳＤ（オン・スクリーン・ディスプレイ）処理部１１８を備えている。
【００３０】
デジタル放送受信装置２９内の構成要素は、図１で示したシステムコントローラ２２によって制御される。このように構成されたデジタル放送受信装置２９において、リモコン２１（図１参照）からのチャンネル選択の入力操作に従って、システムコントローラ２２がデスクランブラ１１４やデマルチプレクサ１１５に制御信号を出力し、その制御信号に基づきデスクランブラ１１４やデマルチプレクサ１１５で選択チャンネルの信号が抽出され、選択チャンネルのデジタル圧縮信号が音声デコーダ１１９および映像デコーダ１２０でデコードされて、その選択チャンネルの音声信号および映像信号がテレビジョン受像機２０（図１参照）などに出力される。
【００３１】
なお、視聴契約が必要な有料チャンネルに関しては、デスクランブラ１１４にて選択チャンネルの信号をデスクランブルする際にメモリ１１６から視聴契約情報が読み出され、視聴契約が結ばれている場合だけ正常にデスクランブルが実行され、視聴が可能となる。
【００３２】
図３は第１〜第４の実施形態においてリモコンのキー配置の一例を示す図である。図３において、リモコン２１の操作パネル２００には、ＴＶ電源キー２１１、入力切換キー２１２、レコーダ電源キー２１３、音量キー２１４、複数の数字キー２１５、再生リストキー２１６、機能一覧キー２１７、上方向キー２１８、下方向キー２１９、左方向キー２２０、右方向キー２２１、決定キー２２２、メニューキー２２３、記録キー２２４、一時停止キー２２５、早戻しキー２２６、停止キー２２７、再生キー２２８、早送りキー２２９、スキップキー２３０、人物名表示キー２３１、俳優の検索キー２３２などが配置されている。なお、ここでのキーの配置、キーの種類、およびキーの個数は一例であるので、これに限ることはない。
【００３３】
図４は第１，第２の実施形態において人物名も表示されている画面イメージを示す図である。図４において、ディスプレイ装置の画面４０には、登場人物４１と登場人物４３と登場人物４５の３人が表示されている。そして、表示枠４２には、登場人物４１の人物名Ａが表示され、表示枠４４には、登場人物４３の人物名Ｂが表示され、表示枠４６には、登場人物４５の人物名Ｃが表示されている。
【００３４】
図５は第１の実施形態において当該作品に対して予め作成された登場人物と人物名との対応関係を示す登場人物情報も記録されている光ディスクを再生している時に登場人物の人物名を表示させる場合の処理を説明するためのフローチャートである。このフローチャートおよび図１、図３、図４を参照して登場人物情報も記録されている光ディスクを再生している時に登場人物の人物名を表示させる場合の処理について説明する。
【００３５】
システムコントローラ２２は、登場人物情報も記録されている光ディスク１が挿入されたことを検出すると（ステップＡ１）、マウント処理を行い（ステップＡ２）、光ディスク１からディスク管理情報を読み出して再生指示待ち状態にする。ここで、リモコン２１の操作により、再生したい作品（タイトル）が選択され、再生キー２２８が押下されると、システムコントローラ２２は、再生操作されたことを検出し（ステップＡ３）、スピンドルモータ５を回転させることにより光ディスク１を回転させると共に、光ピックアップ２を再生動作させるなどして光ディスク１に記録された作品を再生させる（ステップＡ４）。この作品の再生により、テレビジョン受像機２０のディスプレイ装置２０ａには、その再生映像が表示され、テレビジョン受像機２０の音声出力装置（スピーカ）２０ｂからは、その再生音声が出力される。
【００３６】
そして、その作品に対する再生が最後まで行われ、再生が終了すれば（ステップＡ５）、本処理は終了するが、再生が終了していない時に、即ち、その作品の再生中にリモコン２１の人物名表示キー２３１が押下されると、システムコントローラ２２の表示処理手段は、人物名呼出操作がされたことを検出し（ステップＡ６）、光ディスク１から登場人物情報も読み出して（ステップＡ７）、その登場人物情報に基づいて登場人物の映像に追従させて人物名もディスプレイ装置２０ａに表示させる（ステップＡ８）。
【００３７】
なお、光ディスク１に記録されている記録データのデータ構造上の各ビデオオブジェクトユニットＶＯＢＵは、制御データに相当するナビゲーションパックと、映像データに相当するビデオパックと、音声データに相当オーディオパックと、本実施形態では登場人物情報に相当するサブピクチャパックから構成されている。したがって、ステップＡ７の処理で読み出される登録人物情報は、サブピクチャパックを読み出すことになる。また、各ビデオオブジェクトユニットＶＯＢＵは、ナビゲーションパックとビデオパックとオーディオパックとサブピクチャパックとから構成されているので、サブピクチャパックも読み出せば、登場人物の映像に追従させて人物名も表示させることが可能になる。
【００３８】
次に、ユーザは、登場人物の人物名が分かったので、人物名の表示を消去したい場合、再度、リモコン２１の人物名表示キー２３１を押下すると、システムコントローラ２２は、人物名消去操作がされたことを検出し（ステップＡ９）、サブピクチャパックの読み出しを行わず、即ち、サブピクチャデコーダ１３の動作を停止させ、ディスプレイ装置２０ａへの人物名の表示を消去させる（ステップＡ１０）。これにより、元のように通常の映像のみがディスプレイ装置２０ａに表示されることになる。
【００３９】
なお、本処理ではリモコン２１の人物名表示キー２３１が押下されたとき、動画のまま登場人物の映像に人物名を追従させたが、人物名表示キー２３１が押下されたとき（人物名呼出操作がされたとき）、登場人物情報も光ディスク１から読み出して、動画から静止画に切り換え、静止画の状態で、人物名もディスプレイ装置２０ａに表示させ、再度、人物名表示キー２３１が押下されたとき、静止画から元の動画に戻すと共に、人物名の表示も消去するようにしても良い。
【００４０】
以上説明した第１の実施形態によれば、光ディスクに記録されている当該作品を再生時に、人物名呼出操作が行われると、前記登場人物情報に基づき、登場人物の映像に対応させて人物名もディスプレイ装置に表示でき、これにより、映画やドラマなどの作品において、登場人物の人数が増えた場合、煩雑になりがちな登場人物名の混乱を防ぐことができる。
【００４１】
図６は第２の実施形態において当該作品をデジタル放送により視聴しているときに登場人物の人物名を表示させる場合の処理を説明するためのフローチャートである。このフローチャートおよび図１〜図４を参照して当該作品をデジタル放送により視聴しているときに登場人物の人物名を表示させる場合の処理について説明する。
【００４２】
先ず、デジタル放送受信装置２９からの映像信号および音声信号を直接テレビジョン受像機２０に供給できるように、リモコン２１の入力切換キー２１２を押下して、テレビジョン受像機２０をビデオ動作モードに切り換える。この後、リモコン２１の数字キー２１５の何れかを操作して、視聴したい作品が放送されるチャンネルに設定する。システムコントローラ２２は、チャンネルが設定されたことを検出すると（ステップＢ１）、放送されている作品の映像をテレビジョン受像機２０のディスプレイ装置２０ａに表示させる（ステップＢ２）。
【００４３】
そして、当該作品に対する映像の表示の停止操作がされたことを検出される（ステップＢ３）までに、ユーザが登場人物の人物名を知りたくなって、リモコン２１の人物名表示キー２３１を押下すると、システムコントローラ２２の表示処理手段は、人物名呼出操作が行われたことを検出し（ステップＢ４）、当該作品に対して予め作成された登場人物と人物名との対応関係を示す登場人物情報のデータストリームを放送信号から抽出するようにデジタル放送受信装置２９のデマルチプレクサ１１５を制御し、ディスプレイ装置２０ａに表示されている登場人物の映像に追従させて、人物名も表示させる（ステップＢ５）。
【００４４】
次に、ユーザは、登場人物の人物名が分かったので、人物名の表示を消去したい場合、再度、リモコン２１の人物名表示キー２３１を押下すると、システムコントローラ２２は、人物名消去操作がされたことを検出し（ステップＢ６）、デマルチプレクサ１１５を制御して、登場人物情報のデータストリームがデマルチプレクサ１１５から出力されないようにし、ディスプレイ装置２０ａへの人物名の表示を消去させる（ステップＢ７）。これにより、元のように通常の映像のみがディスプレイ装置２０ａに表示されることになる。
【００４５】
以上説明した第２の実施形態によれば、デジタル放送による当該作品を視聴中に、人物名呼出操作が行われると、前記登場人物情報に基づき、登場人物の映像に対応させて人物名もディスプレイ装置に表示でき、これにより、映画やドラマなどの作品において、登場人物の人数が増えた場合、煩雑になりがちな登場人物名の混乱を防ぐことができる。
【００４６】
図７は第３の実施形態において俳優の情報をインターネットにより検索し俳優の情報を表示させる処理を説明するためのフローチャートである。このフローチャートおよび図１、図３を参照して俳優の情報をインターネットにより検索し俳優の情報を表示させる処理について説明する。
【００４７】
ユーザは、このＤＶＤレコーダを用いて、視聴したい作品または視聴している作品の登場人物を演じる俳優の情報をインターネット３５により検索するため、リモコン２１を操作して、ディスプレイ装置２０ａに人物名入力画面を表示させ、この人物名入力画面に対して人物名を入力する。これにより、システムコントローラ２２の表示処理手段は、人物名が入力されたことを検出し（ステップＣ１）、その人物名の情報をＲＡＭ２７に設定する（ステップＣ２）。
【００４８】
そして、システムコントローラ２２の表示処理手段は、リモコン２１の検索キー２３２の押下により、検索開始指示がされたことを検出すると（ステップＣ３）、ＲＡＭ２７から人物名の情報を読み出し、その人物名の情報をインターネット３５を介してサーバ３６に送信する（ステップＣ４）。
【００４９】
サーバ３６には、映画やドラマなどの作品に登場する人物の人物名と、登場人物を演じる俳優の情報との関係を示すテーブルがメモリに記憶されており、ＤＶＤレコーダからの登場人物の人物名を受信すると、その人物名に対応する俳優の情報をメモリから読み出して、ＤＶＤレコーダにインターネット３５を介して送信することができるように構成されている。したがって、サーバ３６は、ＤＶＤレコーダからの人物名を受信すると、メモリから、その人物名に対応する俳優の情報を検索し、この検索した俳優の情報をＤＶＤレコーダにインターネット３５を介して送信する。なお、サーバ３６においては、映画製作業者が用意しているホームページに俳優の情報を登録しておき、そのホームページが指定され、登場人物の人物名が検索されることにより、俳優の情報を送信させることができる。
【００５０】
ＤＶＤレコーダのシステムコントローラ２２は、サーバ３６からの俳優の情報を、インターネット３５およびインターフェイス３４を介して受信すると（ステップＣ５）、その俳優の情報の信号をビデオエンコーダ１８に入力し、表示用の映像信号に変換し、テレビジョン受像機２０に供給することにより、ディスプレイ装置２０ａに俳優の情報を表示させる（ステップＣ６）。ユーザは、その俳優の情報を見ることにより、視聴したい作品の登場人物を演じる俳優が誰であるかを知ることができる。
【００５１】
以上説明したように第３の実施形態によれば、登場人物の人物名がユーザ操作により入力されて検索開始指示がされたことを検出したとき、人物名の情報をインターネットを介してサーバに送信し、これに応答してサーバから送信されて来た俳優の情報を受信してディスプレイ装置に表示させる表示処理手段を備えたので、インターネットにより当該作品の登場人物を演じる俳優の情報を知ることができる。
【００５２】
図８は第４の実施形態において光ディスクに特典情報を読み出して俳優の情報を表示させる処理を説明するためのフローチャートである。このフローチャートおよび図１、図３を参照して光ディスクに特典情報を読み出して俳優の情報を表示させる処理について説明する。
【００５３】
先ず、リモコン２１の特典キー２３３が押下されると、システムコントローラ２２の表示処理手段は、特典情報表示指示がされたことを検出し（ステップＤ１）、光ディスク１は現在再生中であるか否かを判定する（ステップＤ２）。再生中であると判定されたときは、システムコントローラ２２は、レジューム停止させる（ステップＤ３）。即ち、表示処理手段は、特典情報表示指示を検出すると、光ディスク１が再生中であれば、レジューム停止させてから、光ディスク１から特典情報を読み出し（ステップＤ４）、一方、光ディスク１が再生中でなければ、直ぐに、光ディスク１から特典情報を読み出し（ステップＤ４）、ディスプレイ装置２０ａに俳優の情報を表示させる（ステップＤ５）。
【００５４】
以上説明したように第４の実施形態によれば、特典情報表示指示が行われると、登場人物の特典情報をディスプレイ装置に表示させることができる。
【００５５】
なお、現在のＤＶＤでも登場人物情報も記録させることが技術的に可能であろうが、登場人物情報の容量が大きくなると、実現は難しくなり、高速・大容量の光ディスクが必要になるが、ＨＤ−ＤＶＤやブルーレイ・ディスクであれば、実現可能になる。
【産業上の利用可能性】
【００５６】
本発明は、ＤＶＤレコーダ、ＤＶＤプレイヤ、テレビジョン受像機などの映像音声出力装置の表示機能に利用可能であり、登場人物の人物名などを表示させることができる。
【図面の簡単な説明】
【００５７】
【図１】本発明の一実施形態に係る映像音声出力装置としてのＤＶＤレコーダの構成を示すブロック図である。
【図２】図１中のデジタル放送受信装置の構成を示すブロック図である。
【図３】第１〜第４の実施形態においてリモコンのキー配置の一例を示す図である。
【図４】第１，第２の実施形態において人物名も表示されている画面イメージを示す図である。
【図５】第１の実施形態において当該作品に対して予め作成された登場人物と人物名との対応関係を示す登場人物情報も記録されている光ディスクを再生している時に登場人物の人物名を表示させる場合の処理を説明するためのフローチャートである。
【図６】第２の実施形態において当該作品をデジタル放送により視聴しているときに登場人物の人物名を表示させる場合の処理を説明するためのフローチャートである。
【図７】第３の実施形態において俳優の情報をインターネットにより検索し俳優の情報を表示させる処理を説明するためのフローチャートである。
【図８】第４の実施形態において光ディスクに特典情報を読み出して俳優の情報を表示させる処理を説明するためのフローチャートである。
【符号の説明】
【００５８】
２０ａ    ディスプレイ装置
２０ｂ    音声出力装置
２２    システムコントローラ（表示処理手段）
３５    インターネット
３６    サーバ
【図１】
2009017072.tif 000003
【図２】
2009017072.tif 000004
【図３】
2009017072.tif 000005
【図５】
2009017072.tif 000006
【図６】
2009017072.tif 000007
【図７】
2009017072.tif 000008
【図８】
2009017072.tif 000009
【図４】
2009017072.tif 000010